【手続補正書】
【提出日】平成18年9月14日(2006.9.14)
【手続補正１】
【補正対象書類名】明細書
【補正対象項目名】特許請求の範囲
【補正方法】変更
【補正の内容】
【特許請求の範囲】
【請求項１】 中空の柱部材と、流入口と立ち上がり管取り付け口と排水口を備えた弁本体と該弁本体内に外部から操作可能に収受された切り換え弁体を備えた切り換え弁と、前記立ち上がり管取り付け口に取り付けられた立ち上がり管とを備え、前記切り換え弁体を操作することにより、上流側の配管と前記立ち上がり管との連通を切り換えて、通水状態と、止水、水抜き状態とを切り換える不凍水栓柱において、前記切り換え弁は前記柱部材の内部に配置され、該不凍水栓柱はさらに、前記柱部材内において前記切り換え弁の下側の位置で前記柱部材に固定され、上下に貫通する貫通孔を備えたベースと、前記柱部材の下端部に設けられ、前記配管に接続される接続管と、前記ベースの前記貫通孔を閉鎖する閉鎖位置と開放する開放位置との間で移動可能に配置された止水弁体と、前記止水弁体を前記閉鎖位置に付勢する付勢手段と、前記切り換え弁が前記柱部材内で所定の位置に位置するときには前記付勢手段に抗して前記止水弁体を前記開放位置に留め、前記切り換え弁が所定の距離以上前記柱部材内で移動した時に、前記止水弁体が前記閉鎖位置に移動することを許容する止水弁体規制部材とを備えたことを特徴とする、不凍水栓柱。
【請求項２】 請求項１に記載の不凍水栓柱において、前記止水弁体は、前記接続管と前記ベースとの間で、前記ベースの前記貫通孔に対向した位置で前記貫通孔の軸方向に移動可能に配置され、前記止水弁体規制部材は前記切り換え弁の前記弁本体から下方へ延び、その下端部が前記ベースの前記貫通孔を通って前記止水弁体に当接し、前記止水弁体を前記開放位置に止める構成となっていることを特徴とする、不凍水栓柱。
【請求項３】 請求項２に記載の不凍水栓柱において、前記止水弁体規制部材は、前記弁本体の前記流入口と前記接続管との間を連通する流路を備え、該止水弁体規制部材の外周と前記ベースの前記貫通孔の内周との間は液密にシールされていることを特徴とする、不凍水栓柱。
【請求項４】請求項１乃至３のいずれか１に記載の不凍水栓柱において、前記不凍水栓柱は、前記柱部材の上端に取外し可能に固定配置される上部キャップを備えることを特徴とする、不凍水栓柱。
【請求項５】 請求項４記載の不凍水栓柱において、前記上部キャップは、前記柱部材内を上下に伸び、下端において前記ベースに連結固定されたシャフトを介して前記ベースに連結されることにより、前記柱部材の上端に固定されることを特徴とする、不凍水栓柱。
【請求項６】 請求項４又は５に記載の不凍水栓柱において、前記切り換え弁は前記上部キャップにより支持されて垂下していることを特徴とする、不凍水栓柱。
【請求項７】 請求項６に記載の不凍水栓柱において、前記柱部材は、上下の二つの柱状部材からなり、前記上側の柱状部材は前記下側の柱状部材から取り外し可能であることを特徴とする、不凍水栓柱。
【請求項８】 請求項７に記載の不凍水栓柱において、前記上部キャップは、前記柱部材の中心軸線回りに回転した複数ヵ所において前記ベースに対して連結可能であり、前記上側の柱状部材は、前記下側の柱状部材に対して、前記上部キャップと同じ複数カ所のうちの任意の一か所で固定することが可能となっていることを特徴とする、不凍水栓柱。
【請求項９】 請求項８に記載の不凍水栓柱において、前記柱部材は横断面略正方形であり、前記シャフトは二本設けられ、それぞれ前記柱部材の前記横断面の中心を通る一つの対角線上で、中心から同じ距離に位置するように配置されていることを特徴とする、不凍水栓柱。
【手続補正２】
【補正対象書類名】明細書
【補正対象項目名】０００８
【補正方法】変更
【補正の内容】
【０００８】
他の実施の形態においては、該不凍水栓柱は、前記柱部材の上端に配置された上部キャップを備え、前記不凍水栓柱はさらに、下端において前記ベースに連結固定されているシャフトを備え、前記上部キャップは該シャフトを介して前記ベースに連結されることにより柱部材上端に固定される。そして、前記切り換え弁は前記上部キャップにより支持されて垂下している。
【手続補正３】
【補正対象書類名】明細書
【補正対象項目名】００１２
【補正方法】変更
【補正の内容】
【００１２】
図１、図２及び図３は、本願発明の一実施の形態に係る不凍水栓柱１の上部、中間部及び下部をそれぞれ示す縦断面図である。なお、図は通水状態を示している。符号３は、水栓柱の柱本体を構成する中空の柱状部材であり、本実施の形態では、金属製の断面４角形の金属製角パイプである。また本実施の形態での角パイプ３は、後述する目的で、上下に分割されて、上側パイプ５と下側パイプ７とで構成されている。上側パイプ５と下側パイプ７との間にはセパレータ９が配置されている（図２）。セパレータ９は、中央の円筒部９ａと、該円筒部９ａからその高さ方向の真ん中で外方へ広がるフランジ部９ｂと、該フランジ部９ｂの外側に配置された外周部９ｃとを備え、その外周部９ｃは略４角形をしており、上下の面にそれぞれ上側パイプ５の下端部と下側パイプ７の上端部を収受する溝９ｄ、９ｅが形成されている。
【手続補正４】
【補正対象書類名】明細書
【補正対象項目名】００１８
【補正方法】変更
【補正の内容】
【００１８】
弁本体１３の上部は従来と同様に弁室１４に連通する開口部が形成されて立ち上がり管取り付け部１３ａとなっており、ここに略円筒状のスピンドル押さえ５１がネジ結合されている。スピンドル押さえ５１は、後述する立ち上がり管７５にコネクタ５７、ナット７１をもって連結され、立ち上がり管の一部を構成することとなる。
【手続補正５】
【補正対象書類名】明細書
【補正対象項目名】００２３
【補正方法】変更
【補正の内容】
【００２３】
符号８１は、角パイプ３に設けた孔を通ってボンネットエルボ７７のカラン取り付け部７７ｃにネジ結合されたブッシングであり、このブッシング８１に図示しない蛇口が取り付けられる。
【手続補正６】
【補正対象書類名】明細書
【補正対象項目名】００２４
【補正方法】変更
【補正の内容】
【００２４】
図１において符号８３は絶縁スリーブであり、この不凍水栓柱が万が一にも凍結してしまった場合に電気解氷を行う際にロッド６１とボンネットエルボ７７との間を絶縁するためのものであるが、これについては特開平１１−６１８９８に開示されているので、詳細な説明は省略する。絶縁スリーブ８３とロッド６１との間、及び絶縁スリーブ８３とエルボ７７との間は液密にシールされている。また、図２における符号８４はスラストワッシャである。
【手続補正７】
【補正対象書類名】明細書
【補正対象項目名】００２７
【補正方法】変更
【補正の内容】
【００２７】
符号９５と９７は、角パイプ３の対向する二箇所の角部の近くで、上下に延びているシャフトであり、それぞれの下端部は、図３に破線で示されるように、ベース３０に螺合して固定されている。そしてシャフト９５、９７は角パイプ３内を上方へ延びて、それぞれの上端部は、図５に示されるように、上部キャップ６３の下面側に形成されたシャフト取り付け孔６３ｃａ、６３ｃｂに収受され、シャフト取り付け孔６３ｃａ、６３ｃｂに対応した位置で上部キャップ６３に形成されたボルト孔６３ｄａ、６３ｄｂから挿入されるボルト９８ａ、９８ｂによって上部キャップ６３に固定されている。一方ベース３０は前述のとおりネジ２９により下側パイプ７に固定されているので、これにより上下のパイプ５、７は互いに固定され、外れることはない。なお、ボルト９８ａ、９８ｂは、ハンドル６５を４５度回転させると露出され、取り付け、取り外しが可能である。
【手続補正８】
【補正対象書類名】図面
【補正対象項目名】図２
【補正方法】変更
【補正の内容】
【図２】
2001115505.tif 000001